(57)【特許請求の範囲】
【請求項１】
熱変色インクを変色可能な軟質樹脂材料からなる略板状の摩擦体であって、
筆記具のクリップによって挟持され、複数の筆記具が並列配置される保持部と、
前記保持部に形成され、前記クリップの玉部と係合して、前記保持部からの筆記具の脱落を阻止する係止部と、
前記保持部の下部あるいは保持部の下部近傍に形成され、筆記具の先端部が挿通される支持部と、
前記保持部の上部両側から筆記具の上端部を内包するように延設された上部枠と、
前記上部枠の略中間に設けられた凹部と
を少なくとも備えると共に、
ＪＩＳ  Ｋ７２０４に規定された摩耗試験（ＡＳＴＭ  Ｄ１０４４）荷重９．８Ｎ、１０００ｒｐｍ環境下において、テーバー摩耗試験機の摩耗輪ＣＳ−１７でのテーバー摩耗量が１０ｍｇ以上である
ことを特徴とする摩擦体。
【発明の詳細な説明】
【技術分野】
【０００１】
本発明は熱変色インクを変色可能な摩擦体に関し、特に筆記具の展示、携帯に好適な摩擦体に関する。
【背景技術】
【０００２】
従来における熱変色インクを有する筆記具では、インク色を変色、消色させるための摩擦体が、筆記具の一部分に装着されているものが公知であるものの、一方で筆記具には装着せず、筆記具と摩擦体を専用容器に収容した筆記具セットが開示されている。
【先行技術文献】
【特許文献】
【０００３】
【特許文献１】特開２０１５−５１５６２号公報
【発明の概要】
【発明が解決しようとする課題】
【０００４】
ここで、上記筆記具セットは、専用容器を必要とし筆記具と摩擦体を別々に収容しているためので、大型になりがちで小型の鞄等には収容しにくく、携帯性に課題を有している。
そこで、本発明は、筆記具と摩擦体の携帯する際において、専用容器を必要とせず、筆記具と摩擦体との持ち運びが容易な摩擦体を提供することを課題とする。また安価に製作することができ、筆記具が摩擦体から脱落し難く、かつ摩擦体が破損し難くい摩擦体を提供することを目的とするものである。
【課題を解決するための手段】
【０００５】
前記課題を解決するためになされた本発明にかかる摩擦体は、軟質樹脂材料からなる略板状の摩擦体であって、前記筆記具のクリップによって挟持され、複数の筆記具が並列配置される保持部と、前記保持部に形成され、前記クリップの玉部と係合して、前記保持部からの筆記具の脱落を阻止する係止部と、前記保持部の下部あるいは保持部の下部近傍に形成され、筆記具の先端部が挿通される支持部と、前記保持部の上部両側から筆記具の上端部を内包するように延設された上部枠と、前記上部枠の略中間に設けられた凹部とを少なくとも備えることを特徴とする。
【０００６】
このように、クリップを備えた複数の筆記具を並列に保持する、軟質樹脂材料からなる略板状の摩擦体であるため、安価に製作することができる。
しかも、前記保持部の上部両側から、筆記具の上端部を内包するように上部枠が設けられ、前記上部枠の略中間に凹部が設けられているため、この凹部を展示用フックに掛けることにより、筆記具を容易に展示することができる。
【０００７】
一方、筆記具のクリップで保持部を挟持しながらクリップを押し込むと、クリップの玉部が係止部に係合する。また、筆記具の先端部（下部）は支持部に挿通され、筆記部の下部の揺動が阻止される。
即ち、筆記具の上部は、クリップで保持部を挟持すると共に、クリップの玉部が係止部に係合して固定される。一方、筆記部下部は、支持部と係合して揺動が阻止される。このように、この摩擦体に筆記具が装着されるため、筆記具は脱落し難く、この摩擦体は携帯用として好適である。
【０００８】
ここで、前記上部枠と前記保持部との境界付近にヒンジ部が設けられ、前記上部枠が該ヒンジ部で分離可能に形成されていることが望ましい。
前記上部枠は展示する際に必要であるが、商品を購入した後にあっては、筆記具の出入れの邪魔になる。そのため、上部枠はヒンジ部で容易に分離できるように形成されている。
【０００９】
また、前記保持部の下部両側から、筆記具の下端部を内包するように延設された下部枠を備えることが望ましい。
このように、下部枠が設けられているため、筆記具の下端部の接触が防止され、摩擦体からの脱落が防止される。
【発明の効果】
【００１０】
以上のように、本発明によれば、安価に製作することができ、筆記具を展示するに適した摩擦体であって、しかも筆記具が摩擦体から脱落し難く、かつ摩擦体が破損し難く、携帯に適した摩擦体を得ることができる。
【図面の簡単な説明】
【００１１】
【図１】図１は、本発明にかかる摩擦体の一実施形態を示す斜視図である。
【図２】図２は、図１を裏側から見た斜視図である。
【図３】図３は、図２のＡ−Ａ線断面図である。
【図４】図４は、図１のＢ−Ｂ線断面図である。
【図５】図５は、支持部の変形例を示す斜視図である。
【発明を実施するための形態】
【００１２】
以下、本発明にかかる摩擦体の実施形態を図１乃至図５に基づいて詳細に説明する。なお、図１は、本発明にかかる摩擦体の一実施形態を示す斜視図であって、図２は、図１を裏側から見た斜視図である。また図３は、図２のＡ−Ａ線断面図であり、図４は、図１のＢ−Ｂ線断面図である。また、図５は、支持部の変形例を示す斜視図である。なお、本発明における「変色」とは、紙面等に筆記した熱変色インクの筆跡が変化することを示す。筆跡の変色や筆跡が見えなくなる消色も含まれる。
【００１３】
図中、符号１は、摩擦体であって、この摩擦体１は、軟質樹脂材料によって全体形状がほぼ板状に形成され、３本の筆記具２を並列配置して収容できるように構成されている。
この摩擦体１は、前記筆記具２のクリップ３で挟持され、筆記具２を並列配置する保持部４と、前記クリップ３の玉部５と係合して、前記保持部４からの筆記具２の脱落を阻止する係止孔（係止部）６と、前記筆記具２の先端部が挿通されるリング状の支持部７とを備えている。
【００１４】
前記保持部４の上半部には、筆記具２の軸部形状に倣った湾曲部９が形成されている。この保持部４の上半部に形成された湾曲部９は、図４に示すように筆記具２を収納する際、筆記具２の移動を案内するガイド溝（ガイド部）をして機能する。
また、前記湾曲部９は、筆記具２を摩擦体１に収容後にあっては、筆記具２同士が衝突させないための隔離壁としての機能を有する。
【００１５】
また、これら湾曲部９（保持部４の上半部）の裏面側には、図２に示すように、クリップ３の移動を案内し、最終的にクリップ３が係合、収容されるクリップ収容溝８が形成されている。そして、これらクリップ収容溝８の先端部に、前記したクリップ３の玉部５が係合する係止孔６が形成されている。
【００１６】
一方、保持部４の下半部には、矩形状の平面部１０が形成されている。この平面部１０のおもて面は、図１，３に示すように、前記湾曲部９と段差のない平面に形成されている。この平面部１０は筆記具１０の軸部のほぼ中間部分と接する。
【００１７】
また、保持部４の下端部には、前記筆記具の先端部が挿通されるリング状の支持部７が設けられている。
このリング状の支持部７は、筆記具２の先端部を孔７ａに挿通させ、係合させることにより筆記具２の先端部を支持し、筆記具２の揺動を阻止する機能を有している。
【００１８】
また、前記保持部４の両側縁にはフランジ部１１が形成され、このフランジ部１１の上部両側から（保持部４の上部両側から）筆記具２の上端部を内包するように延設された、ほぼＵ字形状の上部枠１３が形成されている。
この上部枠１３と保持部４（フランジ部１１）との境界付近には、屈曲可能な（折曲げ可能な）ヒンジ部１４が形成されている。このヒンジ部１４は肉薄部によって形成されている。
したがって、ヒンジ部１４（肉薄部）を切断することによって、上部枠１３と保持部４（フランジ部１１）とを容易に分離でき、筆記摩擦体１から上部枠１３を取り外すことができる。
また、前記上部枠１３の略中間には、凹部１３ａが設けられている。この凹部１３ａに、展示用フックに掛けることにより、筆記具２を容易に展示することができる。
【００１９】
また前記した上部枠１３と同様に、前記フランジ部１１の下部両側から（保持部４の下部両側から）、筆記具２の下端部を内包するように延設され、ほぼコ字形状の下部枠１２が形成されている。
この下部枠１２は、筆記具２の下端部が何かに接触し、摩擦体１から筆記具２が脱落するのを防止するものである。
即ち、筆記具２の下端部が何かに接触し、筆記具２に押し上げる力が作用すると、筆記具２が上方に移動し摩擦体１からの脱落することがある。下部枠１２はかかる脱落を防止するために設けられたものであり、筆記具２の下端部が他のものとの接触するのを防止している。
【００２０】
なお、この摩擦体１は、前記したように、単一材料（軟質樹脂材料）の射出成形によって、全体形状がほぼ板状に形成されるため、安価に製作することができる。また、前記支持部７を筆記具２の軸部軸線に対して傾斜させることで、型抜きを容易にしている。
【００２１】
摩擦体１を構成する軟質樹脂材料とは、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物を、テーバー摩耗量が１０ｍｇ以上となるように構成してもよい。さらに、ポリプロピレン樹脂及びスチレン系熱可塑性エラストマーの混合物、またはポリプロピレン樹脂及びポリプロピレン系熱可塑性エラストマーの混合物を、ＪＩＳ  Ｋ７２０４に規定された摩耗試験（ＡＳＴＭ  Ｄ１０４４）荷重９．８Ｎ、１０００ｒｐｍ環境下において、テーバー摩耗試験機の摩耗輪ＣＳ−１７でのテーバー摩耗量が１０ｍｇ以上とすることが好適である。また、さらに、摩擦体１は、ＪＩＳ  Ｋ６２０３に規定されたデュロメータＤ硬度が３０以上であることが望ましい。それによって、所定の硬さが確保できる。
【００２２】
次に、この摩擦体１に筆記具２を装着する場合について説明する。
まず、上部枠１３をヒンジ部１４から下方に折曲げ、筆記具２を湾曲部９および平面部１０に載置する。そして、クリップ３をクリップ収容溝８の端縁に係合させながら、下方向に押し込む。
【００２３】
一方、筆記具２の軸部は、湾曲部９に案内されながら移動し、筆記具２の先端部は支持部７の孔７ａを挿通して下部枠１２の付近まで達する。このとき、クリップ３の玉部５が係止孔６に係止されるとともに、クリップ３がクリップ収容溝８に完全に収容される。
このようにして、複数本の筆記具２を摩擦体１に装着することにより、筆記具２は並列に保持される。
【００２４】
また、摩擦体１に装着された筆記具２を取り出すには、前記した収納動作とは逆に、筆記具２を上方に引き上げる。即ち、筆記具２を上方に引き上げることにより、クリップ３の玉部５と係止孔６との係合を解き、筆記具２を摩擦体１から取り出す。
【００２５】
更に、この摩擦体１は展示と携帯の両方に使用される。即ち、店頭等での展示の際には、上部枠１３の切欠部１３ａを展示用フックに掛けて、吊り下げることができる。また、ヒンジ部１４を切断し、上部枠１３を取り外すことにより、筆記具２の着脱容易な摩擦体１とすることができ、携帯用として好適に使用できる。
なお、上部枠１３を取り外さない場合であっても、携帯用として十分使用することができる。
【００２６】
筆記具２は、熱変色インクによる筆跡を得ることが可能な筆記具である。熱変色インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。一般的には第２色を無色とし、第１色（例えば赤）で筆記した描線を昇温させて無色とする構成でもよい。従って、描線が筆記された紙面等に対して摩擦体９によって擦過して摩擦熱を生じさせ、それによって描線を無色に変化させる。なお、当然のことながら第２色は、無色以外の有色でもよい。詳細に述べると、熱変色インクの色材となる熱変色性マイクロカプセル顔料としては、少なくともロイコ色素、顕色剤、変色温度調整剤を含む熱変色性組成物を、マイクロカプセル化したものが挙げられる。可逆熱変色性マイクロカプセル顔料は、粒子径の平均値が０．１〜５．０μｍ、好ましくは０．５〜２μｍの範囲にあることが好ましい。可逆熱変色性マイクロカプセル顔料は、インキ組成物全量に対し、好ましくは４〜３０重量％配合することが好ましい。なお、平均粒子径の測定は、粒子径測定器Ｎ４Ｐｌｕｓ（ＣＯＵＬＴＥＲ社製）を用いて測定した。測定時には試料がＮ４Ｐｌｕｓの推奨濃度に到達するまで水で希釈して、２５℃の温度条件で測定した。
【００２７】
用いることができるロイコ色素としては、電子供与性染料で、発色剤としての機能するものであれば、特に限定されものではない。具体的には、発色特性に優れるインクを得る点から、トリフェニルメタン系、スピロピラン系、フルオラン系、ジフェニルメタン系、ローダミンラクタム系、インドリルフタリド系、ロイコオーラミン系等従来公知のものが、単独（１種）で又は２種以上を混合して（以下、単に「少なくとも１種」という）用いることができる。具体的には、６−（ジメチルアミノ）−３，３−ビス[４−（ジメチルアミノ）フェニル]−１（３Ｈ）−イソベンゾフラノン、３，３−ビス（ｐ−ジメチルアミノフェニル）−６−ジメチルアミノフタリド、３−（４−ジエチルアミノフェニル）−３−（１−エチル−２−メチルインドール−３−イル）フタリド、３−（４−ジエチルアミノ−２−エトキシフェニル）−３−（１−エチル−２−メチルインドール−３−イル）−４−アザフタリド、１，３−ジメチル−６−ジエチルアミノフルオラン、２−クロロ−３−メチル−６−ジメチルアミノフルオラン、３−ジブチルアミノ−６−メチル−７−アニリノフルオラン、３−ジエチルアミノ−６−メチル−７−アニリノフルオラン、３−ジエチルアミノ−６−メチル−７−キシリジノフルオラン、２−（２−クロロアニリノ）−６−ジブチルアミノフルオラン、３，６−ジメトキシフルオラン、３，６−ジ−ｎ−ブトキシフルオラン、１，２−ベンツ−６−ジエチルアミノフルオラン、１，２−ベンツ−６−ジブチルアミノフルオラン、１，２−ベンツ−６−エチルイソアミルアミノフルオラン、２−メチル−６−（Ｎ−ｐ−トリル−Ｎ−エチルアミノ）フルオラン、２−（Ｎ−フェニル−Ｎ-−メチルアミノ）−６−（Ｎ−ｐ−トリル−Ｎ−エチルアミノ）フルオラン、２−（３’−トリフルオロメチルアニリノ）−６−ジエチルアミノフルオラン、３−クロロ−６−シクロヘキシルアミノフルオラン、２−メチル−６−シクロヘキシルアミノフルオラン、３−ジ（ｎ−ブチル）アミノ−６−メトキシ−７−アニリノフルオラン、３，６−ビス（ジフェニルアミノ）フルオラン、メチル−３’，６’−ビスジフェニルアミノフルオラン、クロロ−３’，６’−ビスジフェニルアミノフルオラン、３−メトキシ−４−ドデコキシスチリノキノリン、などが挙げられ、これらは、少なくとも１種用いることができる。
【００２８】
これらのロイコ色素は、ラクトン骨格、ピリジン骨格、キナゾリン骨格、ビスキナゾリン骨格等を有するものであり、これらの骨格（環）が開環することで発色を発現するものである。好ましくは、熱により有色から無色となるロイコ色素の使用が望ましい。
【００２９】
用いることができる顕色剤は、上記ロイコ色素を発色させる能力を有する成分となるものであり、例えば、フェノール樹脂系化合物、サリチル酸系金属塩化物、サリチル酸樹脂系金属塩化合物、固体酸系化合物等が挙げられる。具体的には、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ヘキサフルオロビスフェノール、ｐ−ヒドロキシ安息香酸ｎ−ブチル、ｐ−ヒドロキシ安息香酸ｎ−オクチル、レゾルシン、没食子酸ドデシル、２，２−ビス（４'−ヒドロキシフェニル）プロパン、４，４−ジヒドロキシジフェニルスルホン、１，１−ビス（４'−ヒドロキシフェニル）エタン、２，２−ビス（４'−ヒドロキシ−３−メチルフェニル）プロパン、ビス（４−ヒドロキシフェニル）スルフィド、１−フェニル−１，１−ビス（ ４'−ヒドロキシフェニル）エタン、１，１−ビス（４'−ヒドロキシフェニル）−３−メチルブタン、１，１−ビス（４'−ヒドロキシフェニル）−２−メチルプロパン、１，１−ビス（４'−ヒドロキシフェニル）ｎ−ヘキサン、１，１−ビス（４'−ヒドロキシフェニル）ｎ−ヘプタン、１，１−ビス（４'−ヒドロキシフェニル）ｎ−オクタン、１，１−ビス（４'−ヒドロキシフェニル）ｎ−ノナン、１，１−ビス（４'−ヒドロキシフェニル）ｎ−デカン、１，１−ビス（４'−ヒドロキシフェニル）ｎ−ドデカン、２，２−ビス（４'−ヒドロキシフェニル）ブタン、２，２−ビス（４'−ヒドロキシフェニル）エチルプロピオネート、２，２−ビス（４'−ヒドロキシフェニル）−４−メチルペンタン、２，２−ビス（４'−ヒドロキシフェニル）ヘキサフルオロプロパン、２，２−ビス（４'−ヒドロキシフェニル）ｎ−ヘプタン、２，２−ビス（４'−ヒドロキシフェニル）ｎ−ノナンなどの少なくとも１種が挙げられる。
【００３０】
用いる顕色剤の使用量は、所望される色彩濃度に応じて任意に選択すればよく、特に限定されるものではないが、通常、前記したロイコ色素１質量部に対して、０．１〜１００質量部程度の範囲内で選択するのが好適である。
【００３１】
変色温度調整剤は、前記ロイコ色素と顕色剤の呈色において変色温度をコントロールする物質であり、従来公知のものが使用可能である。例えば、アルコール類、エステル類、ケトン類、エーテル類、酸アミド類、アゾメチン類、脂肪酸類、炭化水素類などが挙げられる。
【００３２】
具体的には、ビス（４−ヒドロキシフェニル）フェニルメタンジカプリレート（Ｃ7Ｈ15）、ビス（４−ヒドロキシフェニル）フェニルメタンジラウレート（Ｃ11Ｈ23）、ビス（４−ヒドロキシフェニル）フェニルメタンジミリステート（Ｃ13Ｈ27）、ビス（４−ヒドロキシフェニル）フェニルエタンジミリステート（Ｃ13Ｈ27）、ビス（４−ヒドロキシフェニル）フェニルメタンジパルミテート（Ｃ15Ｈ30）、ビス（４−ヒドロキシフェニル）フェニルメタンジベヘネート（Ｃ21Ｈ43）、ビス（４−ヒドロキシフェニル）フェニルエチルヘキシリデンジミリステート（Ｃ13Ｈ27）等の少なくとも１種が挙げられる。
【００３３】
以上説明したように、この摩擦体１にあっては、軟質樹脂材料でほぼ板状に形成されているため、筆記具２の着脱が極めて容易であるにもかかわらず、十分な強度を得ることができ、携帯した場合にも破損することはない。しかも安価に製作することができる。
また、クリップ３で保持部４を挟持すると共に、クリップ３の玉部５を係止部（係止孔）６に係止させて固定し、しかも筆記部２の下部は支持部７と係合して揺動が阻止されるため、前記筆記具２は摩擦体１から脱落し難い。
【００３４】
また、筆記具２の先端部は、下部枠１２で保護されているので、落下等の衝撃を受けても、筆記具２が摩擦体から脱落し難い。
更に、上部枠１３はヒンジ部１４において分離可能に形成されているため、上部枠１３を取り外すことができ、携帯に好適である。
【００３５】
なお、上記実施形態にあっては、リング状の支持部７を保持部４と一体に設けた場合について説明したが、本発明はこれに限定されることなく、例えば、図５に示すようにこれを上下に分割しても良い。
即ち、図５に示すように、上側リング部２０を保持部４と一体に設け、下側リング部２１を上側リング部２０よりも筆記具２の先端側へ移動させて下部枠１２と一体に設けても良い。
このようになすことにより、リング状の支持部７の成形に用いた中子が不要になるため、金型の構造が簡単になり、コストダウンを図ることができる。
【００３６】
また、上記実施形態で示した平面部１０の裏側（筆記具２が接する側と反対面）に、筆記具２に関する広告、宣伝等の文字、絵柄を配置すれば、より宣伝効果が得られる。
また、摩擦体１に着色剤を含有せず透明または半透明で形成することにより、筆記具２の全体を視認することができ、筆記具２の宣伝効果を増大させることができる。
【符号の説明】
【００３７】
１  摩擦体
２  筆記具
３  クリップ
４  保持部
５  玉部
６  係止孔（係止部）
７  支持部
８  クリップ収容溝
９  湾曲部
１０  平面部
１１  フランジ部
１２  下部枠
１３  上部枠
１４  ヒンジ部
【図１】
0006652340.tif 000002
【図２】
0006652340.tif 000003
【図３】
0006652340.tif 000004
【図４】
0006652340.tif 000005
【図５】
0006652340.tif 000006